(57)【要約】【課題】車椅子を３６０度回転させたり１８０度方向転換させたりする程の広いスペースがなくても、廊下奥の部屋で用を足した後の車椅子が方向転換でき、前向きで廊下を戻ることを可能とする。【解決手段】車椅子１００の転回が不可能な巾の廊下４と、該廊下４の突き当たり部４１の側方に出入り口３１が配置されており、その中で車椅子１００の転回をすることが不可能な大きさである部屋３と、車椅子１００が廊下４を前進して前記出入り口３１から部屋３に入り、該部屋３から出て廊下４を戻るまで当該車椅子１００の方向転換を阻む障壁５と、を有する建物において、障壁５側の一部に、部屋３から後退した車椅子１００の後方一部を一時的に退避させて、当該車椅子１００を方向転換が可能な位置まで後退させる後退スペース２が形成されている。【選択図】図２
2016098518.tif 000002
【特許請求の範囲】
【請求項１】
車椅子の転回が不可能な巾の廊下と、
該廊下の突き当たり部の側方に出入り口が配置されており、その中で前記車椅子の転回をすることが不可能な大きさである部屋と、
前記車椅子が前記廊下を前進して前記出入り口から前記部屋に入り、該部屋から出て前記廊下を戻るまで当該車椅子の方向転換を阻む障壁と、
を有する建物において、
前記障壁側の一部に、前記部屋から後退した車椅子の後方一部を一時的に退避させて、当該車椅子を方向転換が可能な位置まで後退させる後退スペースが形成されていることを特徴とする建物。
【請求項２】
前記廊下の有効巾は７５０〜９００ｍｍであり、
前記後退スペースは、前記部屋の出入り口と対向する前記障壁側に設けられた奥行３００〜６５０ｍｍの矩形状のスペースによって構成されていることを特徴とする請求項１に記載の建物。
【請求項３】
前記廊下の有効巾は７５０〜９００ｍｍであり、
前記後退スペースは、前記廊下の突き当たりから前記部屋の出入り口までの領域に形成された奥行３００〜６５０ｍｍの矩形状のスペースであることを特徴とする請求項１に記載の建物。
【請求項４】
車椅子の転回が不可能な巾の廊下と、
該廊下の突き当たり部の側方に出入り口が配置されており、その中で前記車椅子の転回をすることが不可能な大きさである部屋と、
前記車椅子が前記廊下を前進して前記出入り口から前記部屋に入り、該部屋から出て前記廊下を戻るまで当該車椅子の方向転換を阻む障壁と、
を有する建物の改修方法において、
前記障壁側の一部に、前記部屋から後退した車椅子の後方一部を一時的に退避させて、当該車椅子を方向転換が可能な位置まで後退させる後退スペースを形成することを特徴とする建物の改修方法。
【請求項５】
前記廊下の有効巾は７５０〜９００ｍｍであり、
前記部屋の有効巾は７５０〜１２５０ｍｍであり、
前記部屋の出入り口と前記廊下を挟んで反対側の側壁側、または前記廊下の突き当たり部の正面壁側に収納部を構成する建具が設けられており、
前記建具を撤去して前記後退スペースを形成することを特徴とする請求項４に記載の建物の改修方法。
【請求項６】
車椅子の転回が不可能な巾の廊下と、
該廊下の突き当たり部の側方に出入り口が配置されており、その中で前記車椅子の転回をすることが不可能な大きさである部屋と、を有し、
前記部屋の出入り口と前記廊下を挟んで反対側の側壁側、または前記廊下の突き当たり部の正面壁側において、前記部屋から後退した車椅子の後方一部を一時的に退避させて前記車椅子を方向転換可能な位置まで後退させる後退スペースを更に有する建物の図面であって、
前記部屋から後退した前記車椅子の後方一部を前記後退スペースに一時的に退避させ、方向転換するまでの、前記車椅子および前記車椅子の動きを介助する介助者の移動軌跡の外形が表示されたことを特徴とする、図面。
【請求項７】
車椅子の転回が不可能な巾の廊下と、
該廊下の突き当たり部の側方に出入り口が配置されており、その中で前記車椅子の転回をすることが不可能な大きさである部屋と、を有し、
前記部屋の出入り口と前記廊下を挟んで反対側の側壁側、または前記廊下の突き当たり部の正面壁側において、前記部屋から後退した車椅子の後方一部を一時的に退避させて前記車椅子を方向転換可能な位置まで後退させる後退スペースを更に有する建物の図面に対して使用するテンプレートであって、
前記部屋から後退した前記車椅子の後方一部を前記後退スペースに一時的に退避させ、方向転換するまでの、前記車椅子および前記車椅子の動きを介助する介助者の移動軌跡の外形が表示されたことを特徴とする、テンプレート。
【発明の詳細な説明】
【技術分野】
【０００１】
本発明は、車椅子の使用を想定した建物、建物の改修方法、図面およびテンプレートに関する。
【背景技術】
【０００２】
一般に、車椅子を３６０度回転させるためには、φ１５００ｍｍ程度のスペースが必要であることが知られている。また、下記特許文献においては、車椅子を１８０度方向転換させるためには、１４００×１７００ｍｍ程度のスペースが必要であることのほか、当該スペースに相当する矩形のホールを廊下の両端に設けた住宅が記載されている。
【先行技術文献】
【特許文献】
【０００３】
【特許文献１】特開平８−２３２４７９号公報
【発明の概要】
【発明が解決しようとする課題】
【０００４】
しかしながら、一般的な規模の住宅等における便所や廊下等に、車椅子を３６０度回転させるためのφ１５００ｍｍ程度、あるいは１８０度方向転換させるための１４００×１７００ｍｍ程度のスペースを確保することは困難であった。
【０００５】
また、廊下の突き当たり部の側壁に便所等の部屋の出入り口が設けられているような建物においては、便所内や便所前で車椅子を方向転換することができない。このため、車椅子で廊下を前進して便所まで進み、用を足した後、後ろ向きで便所から出たら、後ろ向き姿勢のまま車椅子を後進させ、ホール等の方向転換可能なところまで下がっていくしかない（図２１参照）。
【０００６】
本発明は、車椅子を３６０度回転させたり１８０度方向転換させたりする程の広いスペースがなくても、廊下奥の部屋で用を足した後の車椅子が方向転換でき、前向きで廊下を戻ることを可能とする建物、建物の改修方法、図面およびテンプレートを提供することを目的とする。
【課題を解決するための手段】
【０００７】
上記課題を解決すべく、本発明は、
車椅子の転回が不可能な巾の廊下と、
該廊下の突き当たり部の側方に出入り口が配置されており、その中で前記車椅子の転回をすることが不可能な大きさである部屋と、
前記車椅子が前記廊下を前進して前記出入り口から前記部屋に入り、該部屋から出て前記廊下を戻るまで当該車椅子の方向転換を阻む障壁と、
を有する建物において、
前記障壁側の一部に、前記部屋から後退した車椅子の後方一部を一時的に退避させて、当該車椅子を方向転換が可能な位置まで後退させる後退スペースが形成されていることを特徴とする。
【０００８】
本発明に係る建物によれば、部屋の中で車椅子の方向転換ができない場合であっても、部屋から後ろ向きに出た車椅子が、廊下に形成された後退スペースを利用することで、廊下の延在方向の進みたい方へ方向転換ができる。すなわち、車椅子の方向転換に必要なスペースを確保することで車椅子使用の利便性を向上させることができる。
【０００９】
建物において、
前記廊下の有効巾は７５０〜９００ｍｍであり、
前記後退スペースは、前記部屋の出入り口と対向する前記障壁側に設けられた奥行３００〜６５０ｍｍの矩形状のスペースによって構成されていてもよい。
【００１０】
建物において、
前記廊下の有効巾は７５０〜９００ｍｍであり、
前記後退スペースは、前記廊下の突き当たりから前記部屋の出入り口までの領域に形成された奥行３００〜６５０ｍｍの矩形状のスペースであってもよい。
【００１１】
また、本発明は、
車椅子の転回が不可能な巾の廊下と、
該廊下の突き当たり部の側方に出入り口が配置されており、その中で前記車椅子の転回をすることが不可能な大きさである部屋と、
前記車椅子が前記廊下を前進して前記出入り口から前記部屋に入り、該部屋から出て前記廊下を戻るまで当該車椅子の方向転換を阻む障壁と、
を有する建物の改修方法において、
前記障壁側の一部に、前記部屋から後退した車椅子の後方一部を一時的に退避させて、当該車椅子を方向転換が可能な位置まで後退させる後退スペースを形成することを特徴とする。
【００１２】
このような建物の改修方法において、
前記廊下の有効巾は７５０〜９００ｍｍであり、
前記部屋の有効巾は７５０〜１２５０ｍｍであり、
前記部屋の出入り口と前記廊下を挟んで反対側の側壁側、または前記廊下の突き当たり部の正面壁側に収納部を構成する建具が設けられており、
前記建具を撤去して前記後退スペースを形成することとしてもよい。
【００１３】
本発明に係る建物の改修方法によれば、建具を撤去するという簡易な作業によって、当初は収納部として活用していた領域を車椅子の後退スペースとして利用できるので、容易に車椅子使用の利便性を向上させることができる。
【００１４】
また、本発明は、
車椅子の転回が不可能な巾の廊下と、
該廊下の突き当たり部の側方に出入り口が配置されており、その中で前記車椅子の転回をすることが不可能な大きさである部屋と、を有し、
前記部屋の出入り口と前記廊下を挟んで反対側の側壁側、または前記廊下の突き当たり部の正面壁側において、前記部屋から後退した車椅子の後方一部を一時的に退避させて前記車椅子を方向転換可能な位置まで後退させる後退スペースを更に有する建物の図面であって、
前記部屋から後退した前記車椅子の後方一部を前記後退スペースに一時的に退避させ、方向転換するまでの、前記車椅子および前記車椅子の動きを介助する介助者の移動軌跡の外形が表示されたことを特徴とする。
【００１５】
本発明に係る建物の図面によれば、車椅子の使用が想定される建物において、車椅子の方向転換に必要なスペースが確保されていることを、建物のユーザーや施主等に対して分かり易く伝達することができる。
【００１６】
また、本発明は、
車椅子の転回が不可能な巾の廊下と、
該廊下の突き当たり部の側方に出入り口が配置されており、その中で前記車椅子の転回をすることが不可能な大きさである部屋と、を有し、
前記部屋の出入り口と前記廊下を挟んで反対側の側壁側、または前記廊下の突き当たり部の正面壁側において、前記部屋から後退した車椅子の後方一部を一時的に退避させて前記車椅子を方向転換可能な位置まで後退させる後退スペースを更に有する建物の図面に対して使用するテンプレートであって、
前記部屋から後退した前記車椅子の後方一部を前記後退スペースに一時的に退避させ、方向転換するまでの、前記車椅子および前記車椅子の動きを介助する介助者の移動軌跡の外形が表示されたことを特徴とする。
【００１７】
本発明に係るテンプレートによれば、建物の設計図面等において、車椅子の方向転換に必要な領域の輪郭線を容易に表示できる。また、建物の設計時において、車椅子の方向転換に必要なスペースが確保されるように建物の間仕切り壁の位置や家具の配置などを容易に決めることができる。
【発明の効果】
【００１８】
本発明によれば、車椅子を３６０度回転させたり１８０度方向転換させたりする程の広いスペースがなくても、廊下奥の部屋で用を足した後の車椅子が後退スペースを利用して方向転換できるため、前向きで廊下を戻ることが可能となる。
【図面の簡単な説明】
【００１９】
【図１】本発明の第一実施形態に係る、車椅子の使用が想定される建物の一部を示す平面図である。
【図２】建物のうち便所および廊下の一部を拡大して示す平面図であって、車椅子および補助者の動きを併せて表示したものである。
【図３】車椅子で便所に進んだ後、後ろ向き姿勢で車椅子を後退させ、後退スペースを利用して方向転換して廊下を前向きに進むまでの車椅子および介助者の向きおよび位置を順次示す平面図である。
【図４】車椅子で便所に進んだ後、後ろ向き姿勢で車椅子を後退させ、後退スペースを利用して方向転換して廊下を前向きに進むまでの車椅子および介助者の向きおよび位置を順次示す平面図である。
【図５】車椅子で便所に進んだ後、後ろ向き姿勢で車椅子を後退させ、後退スペースを利用して方向転換して廊下を前向きに進むまでの車椅子および介助者の向きおよび位置を順次示す平面図である。
【図６】車椅子で便所に進んだ後、後ろ向き姿勢で車椅子を後退させ、後退スペースを利用して方向転換して廊下を前向きに進むまでの車椅子および介助者の向きおよび位置を順次示す平面図である。
【図７】車椅子で便所に進んだ後、後ろ向き姿勢で車椅子を後退させ、後退スペースを利用して方向転換して廊下を前向きに進むまでの車椅子および介助者の向きおよび位置を順次示す平面図である。
【図８】車椅子で便所に進んだ後、後ろ向き姿勢で車椅子を後退させ、後退スペースを利用して方向転換して廊下を前向きに進むまでの車椅子および介助者の向きおよび位置を順次示す平面図である。
【図９】本発明の第二実施形態に係る、車椅子の使用が想定される建物の一部を示す平面図である。
【図１０】建物のうち便所および廊下の一部を拡大して示す平面図であって、車椅子および補助者の動きを併せて表示したものである。
【図１１】本発明の第三実施形態に係る、車椅子の使用が想定される建物の一部を示す平面図である。
【図１２】本発明の第四実施形態に係るテンプレートの一例を示す図である。
【図１３】テンプレートに表示された方向転換領域について説明する図である。
【図１４】テンプレートに表示された方向転換領域について説明する図である。
【図１５】テンプレートに表示された方向転換領域について説明する図である。
【図１６】テンプレートに表示された方向転換領域について説明する図である。
【図１７】テンプレートに表示された方向転換領域について説明する図である。
【図１８】テンプレートに表示された方向転換領域について説明する図である。
【図１９】テンプレートに表示された方向転換領域について説明する図である。
【図２０】テンプレートに表示された方向転換領域について説明する図である。
【図２１】従来の建物における便所および廊下の一部を拡大して示す平面図であって、車椅子および補助者の動きを併せて表示したものである。
【発明を実施するための形態】
【００２０】
以下、図面を参照しつつ本発明の実施形態について詳細に説明する（図１等参照）。
【００２１】
（第一実施形態）
図１〜図８を参照して、本発明の第一実施形態における建物について説明する。本実施形態における建物は鉄骨造の工業化住宅であって、規格化された寸法の柱や梁等によって躯体が構成される。柱間や梁間の芯々間の寸法は所定のモジュール寸法（３０５ｍｍ）のＮ倍である。
【００２２】
図１は、車椅子１００の使用が想定される建物１の一部を示す平面図、図２は、建物１のうち便所３および廊下４の一部を拡大して示す平面図であって、車椅子１００および補助者の動きを併せて表示したものである。また、図３〜図８は、車椅子１００で便所３に進んだ後、後ろ向き姿勢で車椅子１００を後退させ、後退スペース２を利用して方向転換して廊下４を前向きに進むまでの車椅子１００および介助者の向きおよび位置を順次示す平面図である。
【００２３】
本実施形態の建物１は、図１に示すように寝室７０と、廊下４と、便所３と、洗面所８０と、浴室９０と、を備えている。
【００２４】
廊下４は、有効巾ＷCが車椅子１００の転回が不可能な巾である。転回が不可能な巾とは、車椅子１０が３６０度方向転換するためのスペースφ１５００ｍｍ、あるいは１８０度方向転換するためのスペース１４００×１７００ｍｍを確保できない廊下の巾、例えば１４００ｍｍ未満であり、本実施例では廊下４の有効巾ＷCが約８００ｍｍである。廊下４の突き当たり部４１において、廊下４の側壁５に便所３の出入り口が設けられている。ここで、廊下４の突き当たり部４１とは、例えば、廊下４の突き当たりの端縁４２から１８００ｍｍまでの領域である。なお、廊下４の床面はフローリングで仕上げられており、側壁５の壁面は壁紙で仕上げられている。
【００２５】
便所３は、有効巾ＷBが例えば約８００ｍｍ、有効奥行が例えば約１７００ｍｍの広さを有しており、奥側に便器３２が設けられている。便所３と廊下４との間の間仕切り壁には便所３の出入り口３１が設けられている。出入り口３１には引き戸３３が取り付けられており、引き戸３３を開放した際の出入り口３１の有効巾は例えば約８００ｍｍである。便所３においては、車椅子１００が方向転換するためのスペース（φ１５００ｍｍ、あるいは１４００×１７００ｍｍ）は確保されていない。
【００２６】
廊下４の便所３の出入り口３１とは反対側に位置する側壁５側には、後退スペース２が形成されている。後退スペース２は、便所３から後退した車椅子１００の後方一部を一時的に退避させて、当該車椅子１００を方向転換が可能な位置まで後退させるように形成されたスペースである。このように車椅子１００の方向転換を可能とするものであれば後退スペース２の大きさや形状は特に限定されないが、一例として、本実施形態では、奥行Ｄが３０５ｍｍ×巾ＷSが約８００ｍｍの矩形状の後退スペース２が形成されている（図２等参照）。また、本実施例では、後退スペース２の巾ＷSは、廊下４の有効巾ＷCと同一寸法であると同時に、建物のモジュール寸法３０５ｍｍのＮ倍（Ｎ＝３）から間仕切り壁の厚さを引いた寸法でもある。
【００２７】
寝室７０は、廊下４側の位置にクローゼット７２を備えている。クローゼット７２の奥行は最大で約９００ｍｍであるが、前述の後退スペース２を確保するために、部分的に奥行が約６００ｍｍとなっている（図１参照）。クローゼット７２は、物入れや本棚等のスペースであってもよい。
【００２８】
続いて、便所３から後退し、方向転換してから前向きで廊下４を戻るまでの車椅子１００と介助者の動きを図面に示しながら説明する（図３〜図８参照）。
【００２９】
まず、便所３内の車椅子１００は、介助者に引かれることによって便所３から後退する。このとき、介助者は、車椅子１００の先端が廊下４側を向くように、斜め後方に車椅子１００を引くことが好適であり、こうすることにより、後退後の方向転換がしやすくなる（図４〜図６参照）。斜め後方へ引くとき車椅子１００の軌跡は常に一定というわけではないが、一例として、車椅子１００の外輪は曲線Ｒ1に沿って移動し、内輪は曲線Ｒ2に沿って移動して、車椅子１００の軌跡が形成される。
【００３０】
便所３から後退した車椅子１００の後方一部ならびに介助者が後退スペース２に退避したところで、車椅子１００を廊下４に向けて方向転換する（図５参照）。方向転換の際、車椅子１００の先端部は、一例として、曲線Ｒ3に沿うようにして移動する。一般的な車椅子１００のサイズの場合、後退スペース２の奥行は、３００ｍｍ以上であることが好ましい。また、後退スペース２としての機能を確保しつつ、他の領域（例えば寝室７０）との兼ね合い等を考慮すれば６５０ｍｍ以内であることが好ましい。
【００３１】
車椅子１００が便所３の出入り口３１を超えて廊下４に出たら（図５参照）、介助者により車椅子１００をゆっくりと前へ押し出す。このとき、廊下４の両側壁５あるいは便所３の引き戸３３を擦らないように車椅子１００の向きを徐々に変えながら前進させるのがよい（図６、図７参照）。
【００３２】
このように、前向き姿勢のまま廊下４を戻りながら、さらに向きを変えて調整することにより、廊下４の中心を真っ直ぐに進行することができる（図８参照）。
【００３３】
以上、本実施形態に係る建物１によれば、廊下４の突き当たり部４１において、廊下４の側壁５に便所３の出入り口３１が設けられており、廊下４は、便所３の出入り口３１とは反対側において、車椅子１００が方向転換するための奥行Ｄを有する後退スペース２が形成されている。この場合、便所３から後ろ向きに出た車椅子１００が、後退スペース２を利用することで廊下４の延在方向（長手方向）の戻りたい方へ向けて方向転換することができる。
【００３４】
（第二実施形態）
図９を参照して、第二実施形態における建物１について説明する。建物１は例えば第１実施形態と同様の鉄骨造の工業化住宅であって、規格化された寸法の柱や梁等によって躯体が構成される。柱間や梁間の芯々間の寸法は所定のモジュール寸法（３０５ｍｍ）のＮ倍である。本実施形態の建物１は、図９に示すように寝室７０、廊下４、便所３、洗面所８０、浴室９０の他に納戸６０を備えている。
【００３５】
便所３は、有効寸法で例えば短辺約１１００ｍｍ×長辺約１７００ｍｍの広さを有しており、便器３２と手洗い器（図示省略）とを備えている。便所３の短辺側が廊下４に面しており、短辺側に出入りするための引き戸３３が設けられており、引き戸３３を開放した際の出入り口３１の有効巾は例えば約８００ｍｍである。便所３においては、車椅子１００が方向転換するためのスペース（φ１５００ｍｍ、あるいは１４００×１７００ｍｍ）が確保されておらず、便所３に進入した車椅子１００は、後ろ向きのまま、便所３の出入り口３１から廊下４に出る（図１０参照）。
【００３６】
廊下４は、有効巾ＷCが約８００ｍｍであり、突き当たり部４１において、廊下４の側壁５に便所３の出入り口３１が設けられている。廊下４の突き当たり部４１の壁には、納戸６０に出入りするための開き戸６１が設けられている。廊下４の突き当たり部４１の正面壁面から、便所３の出入り口３１まで（図１０における廊下４の突き当たり部４１の正面壁面Ｘから、出入り口３１の外縁のうち正面壁面Ｘに近い側の外縁Ｙまで）は例えば約３０５ｍｍ離れており、廊下４の突き当たり部４１の正面壁面から便所３の出入り口３１までの領域に、例えば奥行Ｄが約３０５ｍｍ×巾ＷSが約８００ｍｍの矩形状の後退スペース２が形成されている。また、本実施例では、後退スペース２の奥側の壁（廊下４の突き当たり部４１の壁）に開き戸６１が設けられているものとしたが、開き戸６１が設けられていなくてもよい。なお、廊下４の床面はフローリングで仕上げられており、壁面は壁紙で仕上げられている。
【００３７】
本実施形態に係る建物１によれば、廊下４の突き当たり部４１において、廊下４の側壁５に便所３の出入り口３１が設けられており、便所３の出入り口３１は、前記廊下４の突き当たり部４１の正面壁面から奥行Ｄの長さ離れており、廊下４の突き当たり部４１から便所３の出入り口３１までの領域に、便所３から後ろ向きに出た車椅子１００が方向転換するための後退スペース２が形成されている。この場合、便所３から後ろ向きに出た車椅子１００が、後退スペース２を利用することで車椅子１００を廊下４の延在方向の戻りたい方へ向けて方向転換することができる。
【００３８】
（第三実施形態）
図１１を参照して、建物１の改修方法について説明する。建物１は例えば第１実施形態と同様の鉄骨造の工業化住宅であって、規格化された寸法の柱や梁等によって躯体が構成される。柱間や梁間の芯々間の寸法は所定のモジュール寸法（３０５ｍｍ）のＮ倍である。
【００３９】
改修前の状態において、建物１は、図１１に示すように寝室７０、廊下４、便所３、洗面所８０、浴室９０の他、廊下４に面した収納部７を備えている。この建物１は、後退スペース２を備える代わりに収納部７を備えている点で第一実施形態の建物と異なるが、その他は同様であるため共通部分の説明を省略する。
【００４０】
収納部７は、便所３の出入り口３１と廊下４を挟んで反対側に位置する側壁５側に設けられており、広さは例えば奥行３０５ｍｍ、巾８００ｍｍ程度である。本実施形態の収納部７は、両開きの建具７１と、上枠と一対の縦枠とを有する建具枠（図示省略）と、を備える。両開きの建具７１は、側壁５に固定された建具枠によって蝶番金具を介して支持されており、容易に取り外すことができる。また収納部７は、取り外し自在な複数の可動棚を備えている。収納部７の床面は、一般的には合板等で仕上げられる場合があるが、本実施形態では、廊下４と同様のフローリングで仕上げられている。また、収納部７の壁面は、一般的には化粧石膏ボード等で仕上げられる場合があるが、本実施形態では、廊下４と同様の壁紙で仕上げられている。なお、収納部７と廊下４との間には下枠は設けられておらず、廊下４のフローリングと収納部７の床とは段差なく連続している。
【００４１】
建物１の改修は、収納部７に設けられた両開きの建具７１を撤去すると共に、可動棚を取り外すという簡易な作業によって完了し、収納部７を車椅子１００の後退スペース２とすることができる。収納部７の床面、壁面は、あらかじめ廊下４と同様の壁紙、フローリングで仕上げられているため、改修時に新たに手を加えなくても見栄えがよい。
【００４２】
以上、本実施形態に係る建物１の改修方法によれば、廊下４の突き当たり部４１において、廊下４の側壁５に便所３の出入り口３１が設けられ、便所３の出入り口３１と廊下４を挟んで反対側の側壁５に収納部７の建具７１が設けられた建物１において、建具７１を撤去することで、収納部７を前記便所３から後ろ向きに出た車椅子１００が方向転換するための後退スペース２が形成される。この場合、便所３から後ろ向きに出た車椅子１００が、後退スペース２を利用することで廊下４の延在方向の戻りたい方へ向けて方向転換することができる。
【００４３】
（第四実施形態）
図１２〜図１６を参照して、本発明に係るテンプレートについて説明する。テンプレート１８は、例えば略矩形状の半透明の樹脂製プレート１７に対して、便所３等から後退した車椅子１００の後方一部を後退スペース２に一時的に退避させ、方向転換して廊下４を前向きに進行して戻るまでの当該車椅子１００および介助者の移動途中の動きから求めた移動軌跡の外形である方向転換領域１５Ａ、１５Ｂを所定の縮尺で縮小して表示し、あるいはくり抜いて開口部で表したものである。
【００４４】
方向転換領域１５Ａは、便所３から後ろ向きで出た車椅子１００（図１３参照）が、その位置を起点に、後方一部を便所３の対面の後退スペース２に一時的に退避させ（図１４参照）、図中右側に方向転換して廊下４を前向きに進行し始めるまで（図１５、図１６参照）の当該車椅子１００および介助者の移動途中の動き（位置、向き）から求めた移動軌跡の外形（方向転換領域）を示す表示物である。なお、図１３等における符号１４は、車椅子１００の外形領域に相当する部分および介助者の領域に相当する部分を合わせた輪郭を説明の便宜のために表示したものである。
【００４５】
以上により、建物１の図面Ｆにおいて、車椅子１００の方向転換に必要な領域すなわち方向転換領域１５Ａの輪郭線を容易に表示できる。また、建物１の設計時において、車椅子１００の方向転換に必要なスペースが確保されるように建物１の間仕切り壁の位置や家具の配置などを容易に決めることができる。
【００４６】
なお、以上は、便所３の出入り口３１と対向する側壁５側に後退スペース２が形成されている場合を例示しつつ説明したものだが（図１３〜図１６参照）、廊下４の突き当たり部４１の正面壁側に後退スペース２が形成されている場合も上記テンプレート１８を同様に用いて方向転換領域１５Ｂを表し、図面Ｆにおいて車椅子１００の方向転換に必要な領域の輪郭線を表示できることはいうまでもない（図１７〜図２０参照）。すなわち、方向転換領域１５Ｂは、便所３から後ろ向きで出はじめようとしたときの車椅子１００（図１７参照）が、その位置を起点に、後方一部を廊下４の突き当たりの後退スペース２に一時的に退避させ（図１８参照）、図中右側に方向転換して廊下４を前向きに進行可能な向きになるまで（図１９、図２０参照）の当該車椅子１００および介助者の移動途中の動き（位置、向き）から求めた移動軌跡の外形（方向転換領域）を示す表示物である。
【００４７】
また、図１２に示すテンプレート１８において、方向転換領域１５Ａのほか、車椅子の外形領域、車椅子の回転領域、といった他の図形ないしアイコン等１９が表されていてもよい（図１２参照）。
【００４８】
また、以上は、図面Ｆに追記することができる樹脂製のテンプレート１８について説明したが、この他、例えばコンピューター用の製図ソフトにおいても、車椅子１００および介助者の輪郭１４を表すテンプレートを適用することによって、車椅子１００の方向転換に必要な領域の輪郭線を表示することができる。
【００４９】
また、特に図示しないが、上述のようなテンプレート１８に代わるものとして、チェックシートを用いることができる。チェックシートは、例えば透明あるいは半透明のシート上に、車椅子１００の方向転換領域等を所定の縮尺で縮小して表示したものである。このチェックシートを図面に重ね合わせ、車椅子１００の方向転換時に必要と考えられる領域を、図面に直接書き込まずとも簡便に把握することができる。また、車椅子１００の方向転換領域のほか、車椅子１００自体の輪郭、３６０度回転に必要な領域の輪郭なども表示されており、チェックシートを図面に重ね合わせるだけで方向転換や回転が可能かどうか、不可能であればスペースがどの程度足りないか、等を簡単に把握することができる。
【００５０】
以上、本発明を実施形態に基づいて説明したが、本発明は上記の実施形態のみに限定されない。例えば、建物１は、上記実施形態では、住宅としたが、福祉施設、医療施設等であってもよい。また車椅子１００は、標準的な大人用車椅子としたが、子供用車椅子、入浴用車椅子等、種々の車椅子のサイズや形状を想定して車椅子の方向転換領域の輪郭を規定してもよい。また、車椅子１００自体の先端部は、足置き部であるが、車椅子使用者のつま先の位置を考慮して、車椅子１００の先端部とみなしてもよい。また、図面Ｆは、設計図面等の平面図の他、施工図面、広告宣伝用の図面、ＣＡＤ画面上の図面等であってもよい。
【００５１】
なお、上述の実施形態は本発明の好適な実施の一例ではあるがこれに限定されるものではなく本発明の要旨を逸脱しない範囲において種々変形実施可能である。例えば上述した実施形態では、車椅子１００が便所３から後退して廊下４に戻る場合を例に各種実施形態を説明したが、この便所３は車椅子１００が出入りする部屋の好適例にすぎない。すなわち、例えば廊下４の突き当たり部４１に側方に洗面所８０や脱衣所等の部屋が配置されていて、当該部屋内あるいは当該部屋の前で車椅子１００の方向転換が不可能であれば同様の問題が生じうるので、この場合も上述のごとき後退スペース２があれば便利である。要は、上述した実施形態で説明した便所は、同様の問題が生じうる居所の一例にすぎない。
【産業上の利用可能性】
【００５２】
本発明は、建物内において車椅子の使用が想定される場合に適用して好適である。
【符号の説明】
【００５３】
１…建物
２…後退スペース
３…便所（部屋）
４…廊下
５…側壁（障壁）
７…収納部
１８…テンプレート
３１…出入り口
４１…突き当たり部
７１…建具
１００…車椅子
Ｆ…図面
【図１】
2016098518.tif 000003
【図９】
2016098518.tif 000004
【図１１】
2016098518.tif 000005
【図１２】
2016098518.tif 000006
【図２】
2016098518.tif 000007
【図３】
2016098518.tif 000008
【図４】
2016098518.tif 000009
【図５】
2016098518.tif 000010
【図６】
2016098518.tif 000011
【図７】
2016098518.tif 000012
【図８】
2016098518.tif 000013
【図１０】
2016098518.tif 000014
【図１３】
2016098518.tif 000015
【図１４】
2016098518.tif 000016
【図１５】
2016098518.tif 000017
【図１６】
2016098518.tif 000018
【図１７】
2016098518.tif 000019
【図１８】
2016098518.tif 000020
【図１９】
2016098518.tif 000021
【図２０】
2016098518.tif 000022
【図２１】
2016098518.tif 000023